【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
データ記憶領域を有し、データと前記データを管理する単位である管理単位の名前としての管理単位名とを関連付けて管理するサーバ装置と、ネットワークを経由して前記サーバ装置と接続されたクライアント装置とを有する情報処理システムであって、
前記クライアント装置は、
前記クライアント装置内のデータ群を、前記データ群に対応するデータ群名に関連付けて管理する管理手段と、
前記サーバ装置に前記データ群及び前記データ群名を送信する送信手段とを有し、
前記サーバ装置は、
前記クライアント装置から送信された前記データ群及び前記データ群名を受信する受信手段と、
前記受信手段により受信したデータ群名に基づく管理単位名を有する、新たな管理単位を作成する作成手段と、
前記受信手段により受信したデータ群を、前記作成手段により作成された管理単位に関連付けて前記データ記憶領域に記憶する記憶手段とを有する
ことを特徴とする情報処理システム。
【請求項２】
データ記憶領域を有し、データと前記データを管理する単位である管理単位の名前としての管理単位名とを関連付けて管理するサーバ装置であって、
ネットワークを介して接続されたクライアント装置からデータ群及び前記データ群に対応するデータ群名を受信する受信手段と、
前記受信手段により受信したデータ群名に基づく管理単位名を有する、新たな管理単位を作成する作成手段と、
前記受信手段により受信したデータ群を、前記作成手段により作成された管理単位に関連付けて前記データ記憶領域に記憶する記憶手段と、
を有することを特徴とするサーバ装置。
【請求項３】
前記受信手段により受信したデータ群名が前記データ記憶領域に既に記憶されているか判断する判断手段をさらに有し、
前記判断手段が、前記受信手段により受信したデータ群名に対応する管理単位名を有する管理単位が前記データ記憶領域に既に記憶されていると判断した場合、前記記憶手段は、既に記憶されていると判断された管理単位に前記受信手段により受信したデータ群を追加して記憶することを特徴とする請求項２に記載のサーバ装置。
【請求項４】
前記データ記憶領域に記憶する前記クライアント装置内のデータ又はデータ群をユーザにドラッグアンドドロップにより選択させるためのグラフィック・ユーザー・インターフェイスを、前記クライアント装置の表示手段に表示させる表示制御手段をさらに有する請求項２または３に記載のサーバ装置。
【請求項５】
前記管理単位に含まれるデータを公開する相手の情報を含む属性情報を設定する設定手段をさらに有し、
前記作成手段により新たに管理単位が作成された場合、前記設定手段は、既にデータ記憶領域に記憶されている管理単位に関する属性情報を、前記作成手段により新たに作成された管理単位の属性情報として設定することを特徴とする請求項２乃至４のいずれか１項に記載のサーバ装置。
【請求項６】
前記データ群名は、前記クライアント装置において前記データ群が記憶されていたフォルダのフォルダ名であることを特徴とする請求項２乃至５のいずれか１項に記載のサーバ装置。
【請求項７】
前記作成手段は、前記受信手段により受信したデータ群名の一部を管理単位名とした管理単位を作成することを特徴とする請求項２乃至６のいずれか１項に記載のサーバ装置。
【請求項８】
前記データ群は複数の画像を含み、前記管理単位は、前記複数の画像が登録されたＷｅｂアルバムであることを特徴とする請求項２乃至７のいずれか１項に記載のサーバ装置。
【請求項９】
データと前記データを管理する単位である管理単位の名前としての管理単位名とを関連付けて管理するサーバ装置と、ネットワークを経由して接続されたクライアント装置であって、
前記サーバ装置に送信するデータを前記データ単位または前記データを含むデータ群単位で選択する選択手段と、
前記選択手段によりデータ群単位でデータが選択されているか否か判別する判別手段と、
前記判別手段によりデータ群単位でデータが選択されていると判断された場合、前記データ群の名前に基づいて前記管理単位名を生成する生成手段と、
前記選択手段により選択されたデータ群に含まれるデータ及び前記生成手段により生成された管理単位名を前記サーバ装置に送信する送信手段と、
を有することを特徴とするクライアント装置。
【請求項１０】
前記選択手段による選択の結果を表示手段の所定の表示領域に表示する表示制御手段をさらに有することを特徴とする請求項９に記載のクライアント装置。
【請求項１１】
前記表示制御手段は、前記選択手段により選択されたデータを示す画像と前記選択手段により選択されたデータ群を示す画像とを一緒に前記所定の領域に表示することを特徴とする請求項１０に記載のクライアント装置。
【請求項１２】
前記選択手段は、前記データまたは前記データ群を示す情報を前記所定の表示領域にドラッグアンドドロップすることで選択することを特徴とする請求項１０または１１に記載のクライアント装置。
【請求項１３】
前記選択されたデータをサーバ装置に送信することを指示する指示手段をさらに有し、
前記判別手段は、前記指示手段による指示が行われたことに応じて前記判別を実行することを特徴とする請求項９乃至１２のいずれか１項に記載のクライアント装置。
【請求項１４】
前記データ群名は、前記データ群が記憶されていたフォルダのフォルダ名であることを特徴とする請求項９乃至１３のいずれか１項に記載のクライアント装置。
【請求項１５】
データ記憶領域を有し、データと前記データを管理する単位である管理単位の名前としての管理単位名とを関連付けて管理するサーバ装置を制御する方法であって、
ネットワークを介して接続されたクライアント装置からデータ群及び前記データ群に対応するデータ群名を受信する受信工程と、
前記受信工程により受信したデータ群名に基づく管理単位名を有する、新たな管理単位を作成する作成工程と、
前記受信工程により受信したデータ群を、前記作成工程により作成された管理単位に関連付けて前記データ記憶領域に記憶する記憶工程と、
を有することを特徴とするサーバ装置の制御方法。
【請求項１６】
データと前記データを管理する単位である管理単位の名前としての管理単位名とを関連付けて管理するサーバ装置と、ネットワークを経由して接続されたクライアント装置を制御する方法であって、
前記サーバ装置に送信するデータを前記データ単位または前記データを含むデータ群単位で選択する選択工程と、
前記選択工程によりデータ群単位でデータが選択されているか否か判別する判別工程と、
前記判別工程によりデータ群単位でデータが選択されていると判断された場合、前記データ群の名前に基づいて前記管理単位名を生成する生成工程と、
前記選択工程により選択されたデータ群に含まれるデータ及び前記生成工程により生成された管理単位名を前記サーバ装置に送信する送信工程と、
を有することを特徴とするクライアント装置の制御方法。
【請求項１７】
請求項１５に記載の制御方法をコンピュータに実行させるためのプログラム。
【請求項１８】
請求項１６に記載の制御方法をコンピュータに実行させるためのプログラム。
【手続補正２】
【補正対象書類名】明細書
【補正対象項目名】発明の名称
【補正方法】変更
【補正の内容】
【発明の名称】情報処理システム、サーバ装置、サーバ装置の制御方法、クライアント装置、クライアント装置の制御方法、及びプログラム
【手続補正３】
【補正対象書類名】明細書
【補正対象項目名】００１２
【補正方法】変更
【補正の内容】
【００１２】
上述した課題を解決し、目的を達成するために、本発明に係わる情報処理システムは、データ記憶領域を有し、データと前記データを管理する単位である管理単位の名前としての管理単位名とを関連付けて管理するサーバ装置と、ネットワークを経由して前記サーバ装置と接続されたクライアント装置とを有する情報処理システムであって、前記クライアント装置は、前記クライアント装置内のデータ群を、前記データ群に対応するデータ群名に関連付けて管理する管理手段と、前記サーバ装置に前記データ群及び前記データ群名を送信する送信手段とを有し、前記サーバ装置は、前記クライアント装置から送信された前記データ群及び前記データ群名を受信する受信手段と、前記受信手段により受信したデータ群名に基づく管理単位名を有する、新たな管理単位を作成する作成手段と、前記受信手段により受信したデータ群を、前記作成手段により作成された管理単位に関連付けて前記データ記憶領域に記憶する記憶手段とを有することを特徴とする。
【手続補正４】
【補正対象書類名】明細書
【補正対象項目名】００１３
【補正方法】変更
【補正の内容】
【００１３】
また、本発明に係わるサーバ装置は、データ記憶領域を有し、データと前記データを管理する単位である管理単位の名前としての管理単位名とを関連付けて管理するサーバ装置であって、ネットワークを介して接続されたクライアント装置からデータ群及び前記データ群に対応するデータ群名を受信する受信手段と、前記受信手段により受信したデータ群名に基づく管理単位名を有する、新たな管理単位を作成する作成手段と、前記受信手段により受信したデータ群を、前記作成手段により作成された管理単位に関連付けて前記データ記憶領域に記憶する記憶手段と、を有することを特徴とする。
【手続補正５】
【補正対象書類名】明細書
【補正対象項目名】００１４
【補正方法】変更
【補正の内容】
【００１４】
また、本発明に係わるクライアント装置は、データと前記データを管理する単位である管理単位の名前としての管理単位名とを関連付けて管理するサーバ装置と、ネットワークを経由して接続されたクライアント装置であって、前記サーバ装置に送信するデータを前記データ単位または前記データを含むデータ群単位で選択する選択手段と、前記選択手段によりデータ群単位でデータが選択されているか否か判別する判別手段と、前記判別手段によりデータ群単位でデータが選択されていると判断された場合、前記データ群の名前に基づいて前記管理単位名を生成する生成手段と、前記選択手段により選択されたデータ群に含まれるデータ及び前記生成手段により生成された管理単位名を前記サーバ装置に送信する送信手段と、を有することを特徴とする。
また、本発明に係わるサーバ装置の制御方法は、データ記憶領域を有し、データと前記データを管理する単位である管理単位の名前としての管理単位名とを関連付けて管理するサーバ装置を制御する方法であって、ネットワークを介して接続されたクライアント装置からデータ群及び前記データ群に対応するデータ群名を受信する受信工程と、前記受信工程により受信したデータ群名に基づく管理単位名を有する、新たな管理単位を作成する作成工程と、前記受信工程により受信したデータ群を、前記作成工程により作成された管理単位に関連付けて前記データ記憶領域に記憶する記憶工程と、を有することを特徴とする。
また、本発明に係わるクライアント装置の制御方法は、データと前記データを管理する単位である管理単位の名前としての管理単位名とを関連付けて管理するサーバ装置と、ネットワークを経由して接続されたクライアント装置を制御する方法であって、前記サーバ装置に送信するデータを前記データ単位または前記データを含むデータ群単位で選択する選択工程と、前記選択工程によりデータ群単位でデータが選択されているか否か判別する判別工程と、前記判別工程によりデータ群単位でデータが選択されていると判断された場合、前記データ群の名前に基づいて前記管理単位名を生成する生成工程と、前記選択工程により選択されたデータ群に含まれるデータ及び前記生成工程により生成された管理単位名を前記サーバ装置に送信する送信工程と、を有することを特徴とする。